(57)【特許請求の範囲】
【請求項１】
伸縮性を有する材料からなる帯状のベルト本体と、前記ベルト本体の両端部に設けられ、互いに係止される面ファスナーとを有しており、
前記ベルト本体の肌に接する側の面には、前記ベルト本体の幅方向一方端部から幅方向他方端部に至る凹溝が細長い凸部を散点状に作るように押圧形成されており、
前記凸部は、その長軸側が前記ベルト本体の幅方向に沿っており、前記短軸側が前記ベルト本体の長手方向に沿っており、
前記凹溝は、前記ベルト本体に対して斜行して所定間隔で交差し、ダイヤ形状の凸部を形成するものであり、
前記ダイヤ形状の凸部の長軸側対角線が前記ベルト本体の幅方向に沿っており、短軸側対角線が前記ベルト本体の長手方向に沿っていることを特徴とする腰用ベルト。
【請求項２】
前記ベルト本体には、複数の通気孔が形成されていることを特徴とする請求項１に記載の腰用ベルト。
【請求項３】
前記ベルト本体を構成している伸縮性を有する材料は、天然ゴムを母材とし、セシオンが練り込まれたものであることを特徴とする請求項１または２に記載の腰用ベルト。
【発明の詳細な説明】
【技術分野】
【０００１】
本発明は、長時間着用していてもズレが生じ難い腰用ベルトに関する。
【背景技術】
【０００２】
腰痛の予防や治療をするための道具として、古くから腰用ベルトが知られている。腰用ベルトの一例として、例えば特許文献１には、天然ゴムからなる帯状のベルト本体と、ベルト本体の左右両端に設けられ、互いに係止される面ファスナーとを有する腰用ベルトが開示されている。
【０００３】
この従来の腰用ベルトを使用する際には、ベルト本体を腰に適度に締め付けるようにして巻き付け、面ファスナーを互いに係止させて固定する。これにより、腰の周囲が腰痛ベルトによって覆われ、腰を適切に保護することができる。
【先行技術文献】
【特許文献】
【０００４】
【特許文献１】特開２００３−５２８３８号公報（図１）
【発明の概要】
【発明が解決しようとする課題】
【０００５】
従来の腰用ベルトは、その表面が平滑面であることから、長時間の着用で身体を前に屈めたり後ろに反らしていると、腰用ベルトが滑って位置が上下にずれてしまい、その度に位置調整をする必要があり、非常に煩わしいという問題があった。
【０００６】
もちろん、ベルト本体の幅を広くすれば、位置ずれし難くなるため位置調整を行う煩わしさからは解放されるが、腰を曲げ難いとか、内側に湿気がこもってムレが生じやすいという新たな問題が生じてしまう。
【０００７】
本発明は、かかる従来の問題に鑑みてなされたものであり、長時間の着用によっても位置ずれが生じ難く、快適に使用できる腰用ベルトを提供することにある。
【課題を解決するための手段】
【０００８】
請求項１に記載した発明は、「伸縮性を有する材料からなる帯状のベルト本体１２と、ベルト本体１２の両端部に設けられ、互いに係止される面ファスナー１４とを有しており、ベルト本体１２の肌に接する側の面には、ベルト本体１２の幅方向一方端部から幅方向他方端部に至る凹溝１８が細長い凸部２０を散点状に作るように押圧形成されており、凸部２０は、その長軸側Ａがベルト本体１２の幅方向に沿っており、短軸側Ｂがベルト本体１２の長手方向に沿っており、凹溝１８は、ベルト本体１２に対して斜行して所定間隔で交差し、ダイヤ形状の凸部２０を形成するものであり、ダイヤ形状の凸部２０の長軸側対角線Ａがベルト本体１２の幅方向に沿っており、短軸側対角線Ｂがベルト本体１２の長手方向に沿っている」ことを特徴とする腰用ベルト１０である。
【００１０】
請求項２に記載した発明は、「ベルト本体１２には、複数の通気孔１６が形成されている」ことを特徴とする。
【００１１】
請求項３に記載した発明は、「ベルト本体１２を構成している伸縮性を有する材料は、天然ゴムを母材とし、セシオンが練り込まれたものである」ことを特徴とする。
【発明の効果】
【００１２】
請求項１に記載の発明では、ベルト本体１２の肌に接する側の面に、ベルト本体１２の幅方向一方端部から幅方向他方端部に至る凹溝１８が散点状の凸部２０を作るように押圧形成されているので、ベルト本体１２を伸ばしたときの伸び方は、凹溝１８部分と凸部２０部分とで異なることとなる。つまり、凹溝１８部分（押圧によってその密度が高められている）は、凸部２０部分（押圧されておらず密度が高められていない）に比べて伸び難い。換言すれば、凸部２０部分は、凹溝１８部分に比べて伸びやすくなっている。そして、この凸部２０部分は細長く、その長軸側Ａがベルト本体１２の幅方向に沿っており、短軸側Ｂがベルト本体１２の長手方向に沿っているので、ベルト本体１２全体として見たときには、凸部２０の長軸側Ａに沿う方向、つまり、ベルト本体１２の幅方向に伸びやすくなっている。
【００１３】
しかも、伸縮性を有するベルト本体１２を若干長手方向に伸ばしながら腰部に巻きつけると、凸部２０が着用した衣服に入り込むように接することになって滑らず、腰用ベルト１０の着用時に体を前に屈めたり、後ろに反らした場合には、ベルト本体１２が体の動きに追随して幅方向に大きく伸縮することができ、長時間の着用であってもずれることがない。
【００１４】
また、ベルト本体１２の裏面側に設けられている凹溝１８は、ベルト本体１２の幅方向一方端部から幅方向他方端部に至るように形成されているので、皮膚表面から蒸発した汗（湿気）は、凹溝１８を通ってベルト本体１２の端部から外部に排出されることになる。したがって、長時間の着用でもムレが生じにくく、快適に過ごすことができる。
【００１５】
さらに、凹溝１８をベルト本体１２に対して斜行して所定間隔で交差するように押圧形成することにより、ダイヤ形状の凸部２０を簡単に形成することができる。
【００１６】
なお、請求項２に記載の発明のように、ベルト本体１２に複数の通気孔１６を設けておけば、皮膚表面から蒸発した汗（湿気）をベルト本体１２の端部だけでなく、通気孔１６からも排出できるので、長時間着用することによるムレをより効果的に防止することができる。
【００１７】
また、請求項３に記載の発明のように、ベルト本体１２の母材として天然ゴムを使用すれば安価に製造できるし、母材である天然ゴムにセシオンを練り込んでおけば、セシオンが有する諸機能、すなわち、遠赤外線効果とマイナスイオン効果を得ることができる。
【図面の簡単な説明】
【００１８】
【図１】本発明に係る腰用ベルトを示す正面図である。
【図２】本発明に係る腰用ベルトを示す背面図である。
【図３】図２におけるＸ−Ｘ’部分拡大図である。
【図４】凹溝と凸部の他の例を示す図である。
【発明を実施するための形態】
【００１９】
以下、本発明を図面に従って説明する。図１は、本発明にかかる腰用ベルト１０を示す正面図であり、図２は、腰用ベルト１０の背面図である。
【００２０】
これらの図が示すように、本発明の腰用ベルト１０は、ベルト本体１２と、面ファスナー１４とで大略構成されている。
【００２１】
ベルト本体１２は、帯状の部材であり、その長さは、人の腰に巻き付けて使用できるよう適宜設定されている。ベルト本体１２の材質は、伸縮性を有するものであれば特に限定されるものではないが、本実施例では、天然ゴムを母材とし、これにセシオンを練り込んだものが使用されている。
【００２２】
ここで、セシオンとは、静電気に帯電しにくい高分子化合物、希土類鉱石およびトルマリン若しくは遠赤外線放射セラミックスのいずれかを含有し、マイナスイオンを放出すると同時に遠赤外線を放射する樹脂組成物であり、例えば、高分子化合物としてのシリコンゴムに、希土類鉱石としてのモナズ石（粒径１０μｍ、配合量は、高分子基材１００重量部に対して１０〜５０重量部）と、トルマリン（粒径１０μｍ、配合量は、高分子基材１００重量部に対して１０〜５０重量部）を配合したものを使用できる。なお、その具体的内容は、特許第３０３５２７９号に開示されている。
【００２３】
ベルト本体１２には、複数の通気孔１６がその全面に亘って穿設されている。本実施例では、通気孔１６として大径通気孔１６ａと、これよりも小径の小径通気孔１６ａとを設けるようにしている。具体的には、複数（１７個）の大径通気孔１６ａがベルト本体１２の幅方向中央にその長手方向に所定間隔を隔てて穿設されており、大径通気孔１６ａの周囲に複数の小径通気孔１６ｂがベルト本体１２の全面に等間隔或いは等角度で散らばるように穿設されている。なお、各通気孔１６（大径通気孔１６ａおよび小径通気孔１６ｂ）は、後述する凹溝１８と繋がっている。
【００２４】
ベルト本体１２の裏面側（肌に接する側の面：図２参照）には、凹溝１８が形成されている。凹溝１８は、ベルト本体１２に対して斜行して所定間隔で交差してダイヤ形状の凸部２０を作るように、架橋時における金型の加熱圧締によって押圧形成されている。凹溝１８の深さは、ベルト本体１２の厚みや強度等によって適宜設定すればよく、本実施例では、ベルト本体１２の厚み２ｍｍに対して、凹溝１８の深さが０．５ｍｍに設定されている。なお、ベルト本体１２の厚みは１．５〜２．５ｍｍの範囲（好ましくは２．０ｍｍ）で設定することができ、凹溝１８の深さは０．２〜０．８ｍｍの範囲（好ましくは０．５ｍｍ）で設定できる。
【００２５】
凹溝１８によって作られるダイヤ形状の凸部２０は、長軸側対角線Ａがベルト本体１２の幅方向に沿っており、短軸側対角線Ｂがベルト本体１２の長手方向に沿うように形成されている（図３参照）。
【００２６】
上述したように、凹溝１８は金型による圧締によって押圧形成されている。したがって、ベルト本体１２における凹溝１８が形成されている部分の密度は、ダイヤ形状の凸部２０部分よりも高められている。つまり、ダイヤ形状の凸部２０部分（密度が高められていない）は、凹溝１８部分（押圧によって密度が高められている）に比べて伸びやすくなっている。
【００２７】
また、ベルト本体１２の凹溝１８部分が金型による圧締によって押圧形成されているので、その分、ベルト本体１２の基材強度が高められることとなる。したがって、ベルト本体１２の厚みをより薄くすることが可能となる。
【００２８】
なお、本実施例では、凹溝１８がベルト本体１２に対して斜行して所定間隔で交差してダイヤ形状の凸部２０を作るように形成されているが、ベルト本体１２が幅方向に伸びやすく、かつ、ムレを防止できるという効果を得るという観点から考えれば、ベルト本体１２の幅方向一方端部から幅方向他方端部に至り、散点状の細長い凸部２０を一定間隔で散点状に作るように金型による圧締によって押圧形成されていればよい。したがって、凸部２０の形状として、例えば長円形状（図４参照）や長方形状などとしてもよい（ただし、いずれの場合であっても、長軸側Ａがベルト本体１２の幅方向に沿っており、短軸側Ｂがベルト本体１２の長手方向に沿うように形成される必要がある）。
【００２９】
ベルト本体１２の両側端部には、互いに係脱可能な一対の面ファスナー１４が設けられている。一方の面ファスナー１４はベルト本体１２の表面側に取り付けられており、他方の面ファスナー１４はベルト本体１２の裏面側に取り付けられている。
【００３０】
以上のように構成されている腰用ベルト１０を使用する際には、ベルト本体１２の裏面側（凹溝１８が形成されている側）を体に宛てがい、ベルト本体１２を適度に締め付けるようにして体に巻きつけ、面ファスナー１４を互いに係止させて位置を固定する。これにより、腰の周囲が適切に保護され、腰痛の予防や治療を行うことができる。
【００３１】
本発明に係る腰用ベルト１０によれば、ベルト本体１２の裏面側に凹溝１８が設けられているので、腰用ベルト１０の着用時には、衣服が凹溝１８に食い込むことによる滑り止め効果を得ることができる。
【００３２】
ここで、ベルト本体１２においては、ダイヤ形状の凸部２０部分が、凹溝１８部分に比べて伸びやすくなっている。そして、このダイヤ形状の凸部２０部分は、その長軸側の対角線Ａがベルト本体１２の幅方向に沿っており、短軸側の対角線Ｂがベルト本体１２の長手方向に沿っているので、ベルト本体１２全体として見たときには、ダイヤ形状の凸部２０部分の長軸側の対角線Ａに沿う方向（ベルト本体１２の幅方向）に伸びやすくなっている。したがって、腰用ベルト１０の着用時に体を前に屈めたり、後ろに反らした場合には、腰用ベルト１０が幅方向に伸びてこの体の動きに追従することができ、ズレが生じ難い。
【００３３】
また、本発明にかかる腰用ベルト１０は上述したようにズレが生じ難いので、ズレ防止のために幅方向の幅を広くする必要がない（換言すれば、狭くすることができる）。
【００３４】
また、ベルト本体１２の裏面側には、凹溝１８がベルト本体１２に対して斜行して所定間隔で交差するように形成されているので、皮膚表面から蒸発した汗（湿気）は、凹溝１８を通ってベルト本体１２の端部から外部に排出することができる。したがって、上述したベルト本体１２の幅狭効果とも相俟って、長時間の着用でもムレが生じにくく、快適に過ごすことができる。
【００３５】
なお、本実施例のように、ベルト本体１２の全面に複数の通気孔１６を形成し、凹溝１８にこれら通気孔１６がかかるようにしておけば、皮膚表面から蒸発した汗（湿気）をベルト本体１２の通気孔１６からもショートパスにて効果的に排出することができるので、長時間の着用によるムレをより効果的に生じにくくすることができ、快適に着用することができる。
【００３６】
さらに、ベルト本体１２は、母材である天然ゴムにセシオンが練り込まれているので、このセシオンによる諸機能、すなわち、遠赤外線効果とマイナスイオン効果を得ることができる。
【符号の説明】
【００３７】
１０…腰用ベルト
１２…ベルト本体
１４…面ファスナー
１６…通気孔
１８…凹溝
２０…凸部
【図１】
0005623361.tif 000002
【図２】
0005623361.tif 000003
【図３】
0005623361.tif 000004
【図４】
0005623361.tif 000005